(57)【要約】【課題】ストロボ使用／未使用の場合、高感度および低感度のいずれのフィルムを使用しても良好な仕上がりの写真が得られる撮影を可能にするカメラを提供する。【解決手段】撮影レンズの後方に３種類の開口径を有する左右方向に移動可能な絞り板を備え、ストロボのオンオフあるいはフィルム感度に応じて撮影レンズの絞りを切り替え可能にしたカメラ。【選択図】        図２
2004240025.tif 000002
【特許請求の範囲】
【請求項１】
補助光発光装置と、装填されるフィルムの感度を低感度又は高感度の相対的な２種類の感度に設定する感度設定手段と、撮影レンズの開口径を３種類に切り替え可能な絞り機構を備え、該補助光発光装置が使用状態にあるときは該絞り機構を第１絞りに、該補助光発光装置が未使用状態にあって該感度設定手段によりフィルム感度が低感度に設定された場合には該絞り機構を第２絞りに、該補助光発光装置が未使用状態にあってフィルム感度が高感度に設定された場合には該絞り機構を第３絞りにそれぞれ切り替え可能に構成し、該第３絞りのＦ値をＣ、該第２絞りのＦ値をＢとしたとき
１．５≦ｌｏｇ２Ｃ２−ｌｏｇ２Ｂ２≦３
を満足することを特徴とするカメラ。
【請求項２】
前記補助光発光装置が未使用状態にあって、前記感度設定手段によりフィルム感度が低感度に設定された場合には前記絞り機構が第２絞りに、高感度に設定された場合には第３絞りにシャッターレリーズ操作に伴って切り替わることを特徴とする請求項１に記載のカメラ。
【請求項３】
前記第２絞りのＦ値をＢ、第２絞りで撮影する際のシャッタ速度をＳ秒としたとき、
１０≦ｌｏｇ２Ｂ２＋ｌｏｇ２Ｓ−１≦１３
を満足することを特徴とする請求項１、２のいずれかに記載のカメラ。
【請求項４】
前記補助発光装置は前記第１絞りのＦ値をＡ、ＩＳＯ１００でのガイドナンバーをＧとしたとき
Ａ≦Ｇ≦２１／２Ａ
を満たすストロボ装置であることを特徴とする請求項１〜３のいずれかに記載のカメラ。
【請求項５】
前記補助発光装置は前記第１絞りのＦ値をＡ、フル発光時のＩＳＯ１００のガイドナンバーをＧとしたとき
Ａ≦Ｇ≦２１／２Ａ
を満足し、フィルム感度が低感度に設定されたときは調光機能が不作動で高感度に設定されたときは調光機能が作動する調光機能を有するストロボ装置であることを特徴とする請求項１〜３のいずれかに記載のカメラ。
【請求項６】
使用するフィルムが３５ｍｍフィルムであり、シャッタ速度が１／３０秒以下であり、撮影レンズの焦点距離ｆが２５〜３４ｍｍであり、第１絞りのＦ値Ａが４．５〜８であり、かつ
０．００６７ｆ２≦Ａ
を満足することを特徴とする請求項１〜５のいずれかに記載のカメラ。
【請求項７】
高感度はＩＳＯ８００以上３２００以下であることを特徴とする請求項１〜６のいずれかに記載のカメラ。
【請求項８】
補助光発光装置と、装填されるフィルムの感度を低感度又は高感度の相対的な２種類の感度に設定する感度設定手段と、撮影レンズの開口径を３段階に切り替え可能な絞り機構を備えたカメラであり、該補助光発光装置が使用状態にあるときは撮影レンズの絞りＦ値とシャッタ速度で決定される露光条件を第１露光条件にし、該補助光発光装置が未使用状態にあり、該感度設定手段によりフィルム感度が低感度に設定された場合には前記露光条件を第２露光条件に、フィルム感度が高感度に設定された場合には前記露光条件を第３露光条件にそれぞれ切り替え可能に構成し、該第２露光条件のＥＶ値をＥ２、該第３露光条件のＥＶ値をＥ３としたとき
１．５≦Ｅ３−Ｅ２≦３
を満足することを特徴とするカメラ。
【請求項９】
補助光発光装置を備え、該補助発光装置が未使用状態にあるとき、前記感度設定手段によりフィルム感度が低感度に設定された場合にはシャッタレリーズ操作に伴って前記露光条件が前記第２露光条件に設定され、高感度に設定された場合には前記露光条件が前記第３露光条件に切り替わることを特徴とする請求項８に記載のカメラ。
【請求項１０】
前記第２露光条件のＥＶ値Ｅ２は
１０≦Ｅ２≦１３
を満足することを特徴とする請求項８、９のいずれかに記載のカメラ。
【請求項１１】
前記補助光発光装置は第１露光条件の絞りＦ値をＡ、ＩＳＯ１００におけるガイドナンバーをＧとしたとき
Ａ≦Ｇ≦２１／２Ａ
を満たすストロボ装置であることを特徴とする請求項８〜１０のいずれかに記載のカメラ。
【請求項１２】
前記補助発光装置はフル発光時のＩＳＯ１００におけるガイドナンバーをＧとしたとき
Ａ≦Ｇ≦２１／２Ａ
を満足し、フィルム感度が低感度に設定されたときには調光機能が不作動とされ、フィルム感度が高感度に設定されたときは調光機能が作動する調光機能を有するストロボ装置であることを特徴とする請求項８〜１０のいずれかに記載のカメラ。
【請求項１３】
使用するフィルムが３５ｍｍフィルムであり、シャッタ速度が１／３０秒以下であり、撮影レンズの焦点距離ｆが２５〜３４ｍｍであり、第１露光条件で使用される絞りのＦ値Ａが４．５〜８であり、かつ
０．００６７ｆ２≦Ａ
を満足することを特徴とする請求項８〜１２のいずれかに記載のカメラ。
【請求項１４】
高感度はＩＳＯ８００以上３２００以下であることを特徴とする請求項８〜１３のいずれかに記載のカメラ。
【発明の詳細な説明】
【０００１】
【発明の属する技術分野】
本発明は写真撮影用のカメラに関し、詳しくは、高感度と低感度の２種類のフィルム感度設定が行える簡素化された露光量調整機構を有するカメラに関するものである。
【０００２】
【従来の技術】
一般に写真撮影用のカメラは暗箱内に装填、保持されたフィルム等の感光材料面上に、撮影レンズ等の結像部材により形成される被写体の実像を一定時間露光させるよう構成されている。
【０００３】
露光の条件は、使用するフィルムの感度と被写体の輝度とから撮影レンズの絞り値およびシャッター速度を選択、組み合わせることで設定される。その設定に関しては、従来のカメラ、例えばプログラムＡＥ（Ａｕｔｏ  Ｅｘｐｏｓｕｒｅ）機構を搭載したカメラでは被写体の輝度を測定する測光素子を備えて被写体の輝度を測定し、その測定結果と装填されているフィルムの感度情報を基に別途設定されているプログラムにより撮影レンズの絞り値およびシャッター速度からなる露光条件を自動的に設定できるようにしている。このようなカメラでは広範囲のフィルムを使用対象としており、対応できるフィルムの感度の範囲も広い。
【０００４】
一方使用対象とするフィルムの範囲を限定し、例えばＩＳＯ１００／２００とＩＳＯ４００との２つのフィルム感度設定に限定することにより必要以上の部品を不要にして構造を簡素化したカメラがある。その具体的な手段は、ＩＳＯ４００のフィルムを使用する場合には、ＩＳＯ１００／２００のフィルムによる撮影の場合よりも絞りを小絞りに切り替える、あるいはシャッタ速度を高速にするように露光条件を切り替える構造を有する。このようなカメラは使用対象とするフィルムの感度は限定されるが、一般に市場に広く流通しているフィルムは使用可能であり、カメラの構造を簡素化させると同時に操作も簡易化させているので、広範囲のユーザーの支持を獲得している。
【０００５】
また感光材料面上に鮮鋭な実像を結像させるにあたり、撮影対象とする主要被写体までの距離に応じて撮影レンズの感光材料面からの光軸上の配置距離を調整する等の焦点調節操作を行うカメラの他に、いわゆる固定焦点方式として撮影レンズの被写界深度を活用して無限遠から近距離までの被写体に対応するように構成することにより撮影者が焦点調節操作を行う手間を省いているものもある。このような方式を採用する場合は、実用上充分な被写界深度を確保するにあたり撮影レンズの絞りは大きいＦ値が選択される。
【０００６】
また一般のカメラにおいては室内や夜間における撮影の場合等、被写体の輝度が充分ではない条件における撮影にも対応できるよう、いわゆるストロボと一般に呼ばれているエレクトロニックフラッシュ等の補助光発光装置を備えることが通例である。補助光発光装置使用にあたり主要被写体を適正露光で撮影するには、撮影レンズの絞り値をその補助光発光装置の発光量を示す指標であるガイドナンバーを主要被写体までの距離で除した値に選択・設定する必要がある。その絞り値の選択・設定を焦点調節機構の作動と連動して自動的に行える、いわゆるフラッシュマチック機構を備えたカメラもある。また、このような機構を設けずに補助光発光装置使用にあたっての撮影レンズの絞り値が被写体までの距離とは無関係に一定値に設定されるようにしたカメラもあり、このようなカメラでは構造を簡素化でき、ストロボ撮影を簡単な操作で行うことができる。その絞り値の選択に関して、特開２０００−６６０９０号公報（以下特許文献１という）では補助光発光装置を使用するときと使用しないときのそれぞれの絞り値の関係が提案されている。
【０００７】
【特許文献１】
特開２０００−６６０９０号公報（段落００１９、００３２参照）
【０００８】
【発明が解決しようとする課題】
近年、ＩＳＯ８００や１６００というような高感度のフィルムが販売されるようになってきているが、前述したＩＳＯ１００／２００とＩＳＯ４００の２種類の設定しかできない簡素な構成のカメラの場合に、ＩＳＯ４００に設定して高感度のフィルムを使用したとすると、少し輝度の低い被写体を撮影できるようになるものの、撮影頻度が高い昼間の屋外撮影においては露光過度になってしまう。
【０００９】
また補助光発光装置使用にあたっての撮影レンズの絞り値が被写体までの距離とは無関係に一定値に設定されるようにしたカメラにおいては、補助光発光装置のガイドナンバーと撮影レンズの絞り値から算出される距離の位置に被写体が位置している場合には適正露光が得られるが、被写体がそれよりカメラに近い距離に位置する場合には露光過度に、遠い距離に位置する場合には露光不足になるため、実用になる写真画像を得るには、露光過不足の領域が装填されたフィルムの露光過不足許容範囲（以下ラチチュードと記す）に収まるよう撮影可能距離範囲が制約されることになる。この撮影可能距離範囲に関しては、露光不足により制約される遠距離側限界距離を、限られた条件のなかで拡大しいかに遠方にある被写体までを撮影対象にできるかに腐心されるのが通例である。その手段としては補助光発光装置のガイドナンバーを増加させる、あるいは撮影レンズの開口径を大きくしてＦ値を小さくする等が挙げられるが、前者は補助発光装置の回路を構成する電気部品や電源をより大容量の仕様のものに変更する必要があり、また後者はレンズの構成枚数の増加を招くことや被写界深度が浅くなるため撮影可能距離範囲を狭めることになる。したがってガイドナンバーと絞り値は、製造原価やカメラの大きさ等への影響に配慮しつつそれぞれ増減させた場合の得失を勘案し、製品のコンセプトに添うように設定されねばならず、決定は単純には行えない。
【００１０】
本発明は、２種類のフィルム感度設定が行える簡素化された露光調節機構を備えるカメラにおいて、ＩＳＯ８００や１６００のような高感度のフィルムを装填する場合にはその特性を生かして輝度の低い被写体を低感度のフィルムよりもきれいに撮影でき、また内蔵している補助光発光装置を使用するときにも高感度あるいは低感度それぞれのフィルムの特性を生かした撮影を可能にするようなガイドナンバーと撮影レンズの絞り値の組み合わせの最適な設定のカメラを提供することを課題とする。
【００１１】
【課題を解決するための手段】
本発明の上記課題は、以下の各発明によって解決される。
（１）補助光発光装置と、装填されるフィルムの感度を低感度又は高感度の相対的な２種類の感度に設定する感度設定手段と、撮影レンズの開口径を３種類に切り替え可能な絞り機構を備え、該補助光発光装置が使用状態にあるときは該絞り機構を第１絞りに、該補助光発光装置が未使用状態にあって該感度設定手段によりフィルム感度が低感度に設定された場合には該絞り機構を第２絞りに、該補助光発光装置が未使用状態にあってフィルム感度が高感度に設定された場合には該絞り機構を第３絞りにそれぞれ切り替え可能に構成し、該第３絞りのＦ値をＣ、該第２絞りのＦ値をＢとしたとき
１．５≦ｌｏｇ２Ｃ２−ｌｏｇ２Ｂ２≦３
を満足することを特徴とするカメラ。
（２）前記補助光発光装置が未使用状態にあって、前記感度設定手段によりフィルム感度が低感度に設定された場合には前記絞り機構が第２絞りに、高感度に設定された場合には第３絞りにシャッターレリーズ操作に伴って切り替わることを特徴とする（１）に記載のカメラ。
（３）前記第２絞りのＦ値をＢ、第２絞りで撮影する際のシャッタ速度をＳ秒としたとき、
１０≦ｌｏｇ２Ｂ２＋ｌｏｇ２Ｓ−１≦１３
を満足することを特徴とする（１）、（２）のいずれかに記載のカメラ。
（４）前記補助発光装置は前記第１絞りのＦ値をＡ、ＩＳＯ１００におけるガイドナンバーをＧとしたとき
Ａ≦Ｇ≦２１／２Ａ
を満たすストロボ装置であることを特徴とする（１）〜（３）のいずれかに記載のカメラ。
（５）前記補助発光装置は前記第１絞りのＦ値をＡ、フル発光時のＩＳＯ１００におけるガイドナンバーをＧとしたとき
Ａ≦Ｇ≦２１／２Ａ
を満足し、フィルム感度が低感度に設定されたときは調光機能が不作動で高感度に設定されたときは調光機能が作動する調光機能を有するストロボ装置であることを特徴とする（１）〜（３）のいずれかに記載のカメラ。
（６）使用するフィルムが３５ｍｍフィルムであり、シャッタ速度が１／３０秒以下であり、撮影レンズの焦点距離ｆが２５〜３４ｍｍであり、第１絞りのＦ値Ａが４．５〜８であり、かつ
０．００６７ｆ２≦Ａ
を満足することを特徴とする（１）〜（５）のいずれかに記載のカメラ。
（７）高感度はＩＳＯ８００以上３２００以下であることを特徴とする（１）〜（６）のいずれかに記載のカメラ。
（８）補助光発光装置と、装填されるフィルムの感度を低感度又は高感度の相対的な２種類の感度に設定する感度設定手段と、撮影レンズの開口径を３段階に切り替え可能な絞り機構を備えたカメラであり、該補助光発光装置が使用状態にあるときは撮影レンズの絞りＦ値とシャッタ速度で決定される露光条件を第１露光条件にし、該補助光発光装置が未使用状態にあり、該感度設定手段によりフィルム感度が低感度に設定された場合には前記露光条件を第２露光条件に、フィルム感度が高感度に設定された場合には前記露光条件を第３露光条件にそれぞれ切り替え可能に構成し、該第２露光条件のＥＶ値をＥ２、該第３露光条件のＥＶ値をＥ３としたとき
１．５≦Ｅ３−Ｅ２≦３
を満足することを特徴とするカメラ。
（９）補助光発光装置を備え、該補助発光装置が未使用状態にあるとき、前記感度設定手段によりフィルム感度が低感度に設定された場合にはシャッタレリーズ操作に伴って前記露光条件が前記第２露光条件に設定され、高感度に設定された場合には前記露光条件が前記第３露光条件に切り替わることを特徴とする（８）に記載のカメラ。
（１０）前記第２露光条件のＥＶ値Ｅ２は
１０≦Ｅ２≦１３
を満足することを特徴とする（８）〜（１０）のいずれかに記載のカメラ。
（１１）前記補助光発光装置は第１露光条件の絞りＦ値をＡ、ＩＳＯ１００のガイドナンバーをＧとしたとき
Ａ≦Ｇ≦２１／２Ａ
を満たすストロボ装置であることを特徴とする（８）〜（１０）のいずれかに記載のカメラ。
（１２）前記補助発光装置はフル発光時のＩＳＯ１００でのガイドナンバーをＧとしたとき
Ａ≦Ｇ≦２１／２Ａ
を満足し、フィルム感度が低感度に設定されたときには調光機能が不作動とされ、フィルム感度が高感度に設定されたときは調光機能が作動する調光機能を有するストロボ装置であることを特徴とする（８）〜（１０）のいずれかに記載のカメラ。
（１３）使用するフィルムが３５ｍｍフィルムであり、シャッタ速度が１／３０秒以下であり、撮影レンズの焦点距離ｆが２５〜３４ｍｍであり、第１露光条件で使用される絞りのＦ値Ａが４．５〜８であり、かつ
０．００６７ｆ２≦Ａ
を満足することを特徴とする（８）〜（１２）のいずれかに記載のカメラ。
（１４）高感度はＩＳＯ８００以上３２００以下であることを特徴とする（８）〜（１３）のいずれかに記載のカメラ。
【００１２】
【発明の実施の形態】
以下、本発明の実施の形態について図面を用いて説明する。
【００１３】
図１は本発明に係るカメラの一例を示す外観斜視図である。同図に示すように、カメラ本体の前面には撮影レンズ１、ファインダ窓２、補助光発光装置としてのストロボ装置の発光部３、該ストロボ装置のオン・オフを切り替えるストロボスイッチ４、装填されるフィルムの感度を設定するフィルム感度設定スイッチ５が配置され、上面にはシャッタレリーズ操作を行うレリーズ釦６、指数器窓７、充電表示窓８及び巻戻しハンドル９が配置され、背面には巻上げノブ１０が配置されている。
【００１４】
ストロボ撮影を行うときは、ストロボスイッチ４を図示右方向の端部まで移動させると、図示しない内部のメインスイッチがオンとなり、ストロボ装置の充電が開始される。図示しない内部のメインコンデンサが所定の電圧に充電されると、充電表示窓８を通して充電状態を視認することができる。撮影はレリーズ釦６を押せばよい。なお、ストロボスイッチ４はその移動により撮影レンズ１の絞りを切り替え可能としている。また図示の如く右方向の端部まで移動させると、先端部４ａが右方に突出し、メインスイッチをオンにしたことを容易に判断できるようになっている。
【００１５】
また、背面には図示していない裏蓋が開放可能に設けられており、裏蓋を開放して、フィルムの装填及び取り出しを可能としている。
【００１６】
フィルム感度設定スイッチ５は、装填されるフィルムの感度を低感度又は高感度の相対的な２種類の感度に設定する感度設定手段を構成しており、左右方向に移動可能なスライド式スイッチが使用されている。ここでは図示右方向端部に移動された状態でフィルム感度が低感度に設定され、反対に図示左方向端部に移動された状態で高感度に設定されるようになっており、その移動により撮影レンズ１の絞りを切り替え可能としている。
【００１７】
なお、本発明において、フィルム感度の低感度及び高感度とは、ＩＳＯ規格により区分されるＩＳＯフィルム感度が相対的に低い又は高いことをいい、例えばカメラがＩＳＯ１００とＩＳＯ４００の２種類のフィルムの使用を想定する場合、ＩＳＯ１００のフィルムを低感度といい、ＩＳＯ４００のフィルムを高感度という。また、低感度又は高感度はそれぞれ１種類ずつのフィルム感度のみを指すものに限らず、例えばＩＳＯ１００／２００／４００のフィルム感度のグループを低感度とし、それらよりも相対的に高い感度を有するＩＳＯ８００／１６００のフィルム感度のグループを高感度とするように、それぞれ複数種からなるフィルム感度のグループを指すものであってもよい。
【００１８】
以下に説明する各実施形態では、いずれも低感度のフィルムとして、専ら市販されているＩＳＯ１００／２００／４００のフィルムを想定しており、また、高感度のフィルムとしてＩＳＯ８００以上のフィルムを想定している。これは、高感度のフィルムとしてＩＳＯ８００よりも下回るフィルム感度のものを想定すると、使用できるフィルム感度幅が小さく、後述する絞りの切り替えによる写真に与えるメリットが小さくなるからである。高感度のフィルムの上限はＩＳＯ３２００以下とすることが好ましく、これを超えると一つの露光条件でカバーするフィルム感度範囲が広くなりすぎ、好ましくない。
【００１９】
ここで、撮影レンズ１の絞りを切り替える切り替え機構の一例について、図２を用いて説明する。
【００２０】
同図に示すように、撮影レンズ１の後方に絞り板１１が図示左右方向に移動可能に配置されている。絞り板１１には左右方向に所定間隔をおいて図示左側から順に開口径が最大で撮影レンズの絞り値を例えばＦ４．５とする開口径の大絞り１１ａ（第１絞り）、開口径が中間で撮影レンズの絞り値を例えばＦ５．６とする開口径の中絞り１１ｂ（第２絞り）および開口径が最小で撮影レンズの絞り値を例えばＦ１１とする開口径の小絞り１１ｃ（第３絞り）の３つの貫通孔が形成されている。絞り板１１が左右方向の移動し、上記大絞り１１ａが撮影レンズの後方に位置して撮影レンズを通過した被写体光を絞る状態を第１絞り、上記中絞り１１ｂが撮影レンズの後方に位置して撮影レンズを通過した被写体光を絞る状態を第２絞り（図２の状態）、上記小絞り１１ｃが撮影レンズの後方に位置して撮影レンズを通過した被写体光を絞る状態を第３絞りとする。
【００２１】
絞り板１１の右端部には下方に伸びる腕部１１ｄが形成され、その先端部１１ｅは略Ｌ字型に屈曲している。この先端部１１ｅの図示左側部には、一端がストロボスイッチ４に連結する連結杆４ｂの左端において上方に屈曲形成されたストッパー部４ｃと、フィルム感度設定スイッチ５の上部に立設されたストッパー部５ａとがそれぞれ当接可能に配置されている。なお、図２に示す状態では、ストロボスイッチ４はオフ位置にあり、そのストッパー部４ｃは図示左方向に大きく入り込んだ位置にあり、一方のフィルム感度設定スイッチ５は図示右方向の端部、即ち低感度の設定に位置している。
【００２２】
また、絞り板１１の左端には、カメラ内部の固定物との間に引っ張りバネ１１ｆが掛け渡されており、この引っ張りバネ１１ｆにより絞り板１１には図示左方向に付勢力が与えられている。従って、図２に示す状態では、この付勢力により、腕部１１ｄの先端部１１ｅがフィルム感度設定スイッチ５のストッパー部５ａの右側部に当接してそれ以上の移動を阻止された状態にある。
【００２３】
この絞り板１１の移動による絞りの切り替え動作について、図３及び図４を用いて更に説明する。
【００２４】
昼間等のストロボ装置を使用しない撮影状況下において、カメラに低感度のフィルムが装填され、撮影者によりフィルム感度設定スイッチ５が図示右方向端部の低感度位置まで移動されて設定されると、引っ張りバネ１１ｆにより図示左方向に付勢されている絞り板１１は、図３（ａ）に示すように、絞り板の腕部１１ｄの先端部１１ｅがフィルム感度設定スイッチ５のストッパー部５ａに当接しつつ、フィルム感度設定スイッチの右方向への移動により図示右方向の低感度位置まで移動する。中絞り１１ｂは、低感度位置に設定されたフィルム感度設定スイッチ５のストッパー部５ａに当接した状態で、撮影レンズ１の後方に配置されるように絞り板１１に形成されているため、これにより撮影レンズ１の後方には中絞り１１ｂが配置される。
【００２５】
この状態では、絞り板１１は引っ張りバネ１１ｆの付勢力による移動がストッパー部５ａにより阻止されているため、撮影レンズ１の後方に小絞り１１ｃを配置させる方向には移動できず、撮影レンズ１の絞りは中絞り１１ｂによる第２絞りに固定される。従って、低感度のフィルムの特性を生かした昼間の高輝度の被写体の撮影を行うことができる。
【００２６】
ここから、夜間での撮影等、低輝度の状況下においてストロボ装置を使用するべくストロボスイッチ４をオン位置に移動させると、図示左方向に大きく入り込んだ位置にあったストロボスイッチ４のストッパー部４ｃは、フィルム感度設定スイッチ５のストッパー部５ａと同様の位置まで移動して絞り板１１における腕部１１ｄの先端部１１ｅの左側部に当接した後に、さらに図３（ｂ）に示す位置まで絞り板１１を図示右方向に移動させる。大絞り１１ａは、ストロボスイッチ４がオン位置に移動された状態で、撮影レンズ１の後方に相対する位置に配置されるように絞り板１１に形成されているため、この状態では撮影レンズの絞りは大絞りである第１絞りに切り替えられる。大絞りである第１絞りはストロボ装置の発光量を有効に活用できるので補助光発光装置使用において遠距離にある被写体を撮影対象とすることができる。
【００２７】
次に、昼間等のストロボ装置を使用しない撮影状況下において、カメラに高感度のフィルムが装填され、撮影者によりフィルム感度設定スイッチ５が高感度位置に切り替えられ、図示左方向端部の高感度位置まで移動されると、ストロボスイッチ４はオフ位置に設定されているため、絞り板１１は引っ張りバネ１１ｆの付勢力により、その腕部１１ｄの先端部１１ｅがフィルム感度設定スイッチ５のストッパー部５ａの右側部に当接したまま、図４（ａ）に示すように、フィルム感度設定スイッチ５の移動に伴って図示左方向端部まで移動する。この位置は、腕部１１ｄの先端部１１ｅがオフ位置にあるストロボスイッチ４のストッパー部４ｃの右側部に当接する位置でもある。
【００２８】
ここで、小絞り１１ｃは、高感度位置に設定されたフィルム感度設定スイッチ５のストッパー部５ａに当接した状態で、撮影レンズ１の後方に相対する位置に配置されるように絞り板１１に形成されているため、これにより撮影レンズ１の絞りは小絞り１１ｃによる第３絞りとなる。従って、高感度のフィルムに応じた絞りに切り替えられて、高輝度の被写体の撮影を露光過度などの失敗なく、高感度フィルムの特性を生かした深い被写界深度を確保して行うことができるようになる。
【００２９】
このときの絞り板１１は、引っ張りバネ１１ｆの付勢力により、フィルム感度設定スイッチ５のストッパー部５ａの右側部に当接しているだけであるため、図示右方向への摺動はフリーの状態にある。そして、ここから、夜間等の低輝度の撮影状況下においてストロボ装置を使用するべくストロボスイッチ４をオン位置に切り替えると、絞り板１１の腕部１１ｄの先端部１１ｅと当接しているストロボスイッチ４のストッパー部４ｃは、そのまま絞り板１１を、図４（ｂ）に示す位置まで引っ張りバネ１１ｆの付勢力に抗して図示右方向へ移動させる。ストロボスイッチ４がオン位置まで移動すると撮影レンズ１の後方には大絞り１１ａが配置され、絞りが第３絞りから第１絞りへと切り替えられる。従って、フィルム感度設定スイッチ５は高感度設定のままで、絞りは大絞りに切り替えられるため、補助光発光装置を使用する場合その発光量を有効に活用できるので、高感度のフィルムの特性を生かして撮影可能距離範囲をさらに遠距離側に拡大することができる。
【００３０】
以上の実施形態は、フィルム感度設定スイッチ５及び絞り板１１の設定を手動で操作するようにしたものであるが、次に、フィルム感度の設定及び絞りの設定を自動的に行うようにした実施形態について説明する。
【００３１】
カメラに装填されるフィルムの感度は、フィルムの容器であるパトローネの表面に形成されているＤＸコードを利用して判別可能である。ＤＸコードは、図５に示すように、パトローネの表面に市松模様となっていて、「１」〜「１２」の範囲で金属地肌が露出した電気導通部と塗装された絶縁部とに分かれている。このうち「１」及び「７」はアースであり、図６に示すように、「２」〜「６」の組み合わせでフィルム感度のＩＳＯ２５〜５０００までを自動検知することができるようになっている。
【００３２】
図７に、フィルム感度の設定及び絞りの設定を自動的に行う態様の概略構成を示す。絞り機構は、絞り板１２と、この絞り板１２による絞りの切り替えを作動させる電磁石１３と、ＤＸコード読み取り部１４とを主要構成としている。
【００３３】
絞り板１２は略扇状に形成され、支軸１２ｄを中心にして回動可能に構成されている。絞り板１２には開口径が最大で撮影レンズの絞り値を例えばＦ４．５とする開口径の大絞り１２ａと、開口径が中間で撮影レンズの絞り値を例えばＦ５．６とする開口径の中絞り１２ｂと、開口径が最小で撮影レンズの絞り値を例えばＦ１１とする開口径の小絞り１２ｃとが貫通形成されている。絞り板１２の回動により、撮影レンズ１の後方に大絞り１２ａが位置し撮影レンズを通過した被写体光を絞る状態を第１絞り、中絞り１２ｂが位置し撮影レンズを通過した被写体光を絞る状態を第２絞り、小絞り１２ｃが位置し撮影レンズを通過した被写体光を絞る状態を第３絞りとする。
【００３４】
絞り板１２は引っ張りバネ１２ｅにより、支軸１２ｄを中心にして反時計方向に回動して、ストッパー１２ｆに当接するように付勢されている。ストッパー１２ｆは図示されないストロボスイッチ４のオン・オフの切り替え作動に連動して移動し、ストロボスイッチ４がオフ位置のときには１２ｆｃに位置して絞り板１２を第３絞りの位置に停止させ、オンのときは１２ｆａに位置して絞り板１２を第１絞りの位置に停止させる。図７ではストロボスイッチ４がオン位置にあり、１２ｆａに位置するストッパー１２ｆに絞り板１２が当接して大絞り１２ａが撮影レンズ１の後方に相対する位置に配置されている状態を実線で示している。
【００３５】
なお、チャージレバー１５はシャッタチャージ動作に連動して移動完了位置（図７に示す位置）からシャッタチャージ完了位置（図７における右方向）へ移動する。チャージレバー１５は移動完了位置からシャッタチャージ完了位置までの移動する途中で絞り板１２の端部に当接し、絞り板１２を支軸１２ｄを中心にして引っ張りバネ１２ｅの引っ張り力に抗して時計方向に回動させ、絞り板１２の一端に設けられた鉄片１２ｇを電磁石１３に当接させて停止する。この停止位置はシャッタチャージ完了位置でもある。チャージレバー１５がシャッタチャージ完了位置にあるときは絞り板１２は図７の二点鎖線で示される位置にあり、撮影レンズ１の後方に中絞り１２ｂが配置されて第２絞りとなる。
【００３６】
またチャージレバー１５はレリーズ釦６が押し下げられると、シャッタチャージ完了位置から左方へ移動し、図示されないシャッター機構のセクターを作動開閉させて移動完了位置で停止しレリーズ動作を完了する。チャージレバー１５の左方への移動により絞り板１２との当接が解除されると、引っ張りバネ１２ｅはその引っ張り力により絞り板１２を反時計方向に回動させようとするが、鉄片１２ｇを吸引している電磁石１３の吸引力は引っ張りバネ１２ｅの引っ張り力により鉄片１２ｇは電磁石１３から離間しないような大きさにに設定されているので、鉄片１２に電磁石１３が当接している状態で電磁石１３の吸引力が作用しているときは鉄片１２ｇは電磁石１３から離間せず、絞り板１２は回動しない。
【００３７】
電磁石１３は、カメラ内部の固定物に設けられており、ここでは通電することにより消磁するタイプのものが採用されている。
【００３８】
電磁石１３が非通電状態にあるとき、絞り板１２の一端に設けられた鉄片１２ｇとの間に吸引力が発生している。この状態でレリーズ操作が行われてレリーズ動作が進行するとチャージレバー１５がシャッタチャージ完了位置から初期位置に向かって左方向に移動するが、絞り板１２は引っ張りバネ１２ｅの付勢力を受けていても電磁石の吸引力により回動せず、中絞り１２ｂによる第２絞りの位置（二点鎖線で示す）を保つ。
【００３９】
なお、前述のとおり、電磁石１３は通電されるときには消磁し鉄片１２ｇとの間の吸引力が消滅するので、絞り板１２はチャージレバー１５がレリーズ動作に伴って移動すると、引っ張りバネ１２ｅの引っ張り力により支軸１２ｄを中心にして反時計方向に回動し、図示されないストロボスイッチ４のオン、オフの切り替えに連動して１２ｆａあるいは１２ｆｃのいずれかに位置しているストッパー１２ｆに当接して第１絞りあるいは第３絞りをなす位置で停止する。
【００４０】
ＤＸコード読み取り部１４は、本実施形態における感度設定手段であり、パトローネ表面に形成されたＤＸコードの「２」〜「６」と接触してフィルム感度情報を電気的に読み取る接片を有して構成される。ここで上記接片は、第１の接片１４１と第２の接片１４２とからなり、第１の接片１４１はＤＸコードの「２」と接触する接片１４１ａ及びＤＸコードの「３」と接触する接片１４１ｂの２つの接片を有している。一方、第２の接片１４２はＤＸコードの「４」と接触している。即ち、装填されたフィルムの感度が低感度（例えばＩＳＯ４００）である場合、図６から、▲１▼第１の接片１４１及び第２の接片１４２のいずれもＤＸコードと導通しない、▲２▼第１の接片１４１がＤＸコード「２」又は「３」の少なくともいずれか一方と導通し、第２の接片１４２が「４」と導通しない、▲３▼第１の接片１４１がＤＸコード「２」及び「３」のいずれとも導通せず、第２の接片１４２は「４」と導通する、のいずれかとなる。また、装填されたフィルムの感度が高感度（例えばＩＳＯ８００）である場合、第１の接片１４１がＤＸコード「２」又は「３」の少なくともいずれか一方と導通し、第２の接片１４２も「４」と導通する。
【００４１】
第１の接片１４１は、電磁石１３と電気的に接続され、第２の接片１４２は、レリーズ釦６に連動するスイッチＳ１、チャージレバー１５により作動されるスイッチＳ２及び電池１６を介して電磁石１３と電気的に接続されている。スイッチＳ１は、レリーズ釦６を押下操作することでオン、離すとオフとなり、スイッチＳ２は、チャージレバー１５のシャッタレリーズ動作に伴った移動完了位置への移動完了でオフ、移動完了位置にない状態でオンとなる。スイッチＳ３はＤＸコード読みとり部と電気回路上並列に接続されており、図示されないストロボスイッチ４がオン位置のときにオン、オフ位置のときにオフとなるように構成されている。従って、電磁石１３への通電・非通電は、これらＤＸコード読み取り部１４における各接片１４１、１４２の導通・非導通及びスイッチＳ１、Ｓ２、Ｓ３のオン・オフによって制御される。
【００４２】
この絞り板１２による絞りの切り替えについての動作を図８および図９を用いて更に説明する。
【００４３】
カメラに例えば低感度であるＩＳＯ４００ののフィルムが装填されて、ストロボ装置を使用しない場合と使用する場合を図８（ａ）、図８（ｂ）に示す。
【００４４】
フィルムが装填されるとフィルムのパトローネに形成されているＤＸコードにＤＸコード読み取り部１４の第２の接片１４２と第１の接片１４１ａおよび１４１ｂが接触する。ＩＳＯ４００フィルムではその付されているＤＸコードにより接片１４２は導通するが接片１４１ａと１４１ｂはいずれも非導通となるためＤＸコード読みとり部１４は非導通である。カメラ背面の巻き上げノブ１０を操作しフィルムを巻き上げが完了するとチャージレバー１５はシャッタチャージ完了位置まで移動しスイッチＳ２はオン状態となる。
【００４５】
この状態でレリーズ釦６を操作しシャッタレリーズ動作を行うとスイッチＳ１がオンになるが、ＤＸコード読みとり部１４は非導通であり、ストロボスイッチ４はストロボ装置を使用しないのでオフ位置にありスイッチＳ３もオフであるので電磁石１３には通電されず消磁しない。従って、絞り板１２は、一端の鉄片１２ｆが電磁石１３との間の吸引力により吸着されたまま図８（ａ）に示すように、撮影レンズ１の後方に中絞り１２ｂが配置される第２絞りの位置を保持する。さらにレリーズの動作が進行しチャージレバー１５がシャッタチャージ完了位置から矢印方向へ移動しても、引っ張りバネ１２ｅの引っ張り力に抗して鉄片１２ｆが電磁石１３に吸着しているので絞り板１２は回動されず第２絞り位置を保持したまま撮影が行われる。
【００４６】
またストロボ撮影を行うためストロボスイッチ４をオン位置にすると、スイッチＳ３はオンに、またストッパーは１２ｆａの位置に移動する。この状態でレリーズ釦６を操作しシャッタレリーズ動作を行うと、スイッチＳ２はチャージレバー１５がシャッタチャージ完了位置にあってオン状態にあり、スイッチ３もオンであるのでレリーズ釦６が押し下げ操作されてスイッチＳ１がオンになると、ＤＸコード読みとり部１４が非導通であっても磁石１３に通電が行われて消磁する。さらにレリーズの動作が進行し、チャージレバー１５がシャッタチャージ完了位置から矢印方向へ移動すると、絞り板１２の一端の鉄片１２ｆと電磁石１３との間の吸引力が電磁石１３の消磁により消滅しているので、絞り板１２は引っ張りバネ１２ｄに引っ張られて支軸１２ｃを中心にしてストッパー１２ｆａに当接するまで回動し、撮影レンズ１の後方には大絞り１２ａが配置され、絞りは第１絞りに切り替えられる。すなわちレリーズ釦６の操作に伴って、チャージレバー１５の移動前半のチャージレバー１５によるセクタ開放動作開始前に、図８（ｂ）に示すように、撮影レンズ１の後方には大絞り１２ａが配置され、絞りは第１絞りになる。また、チャージレバー１５が移動完了位置まで移動されると、スイッチＳ２がオフとなるので、電磁石１３への通電がカットされ無駄に電池が消費されるのを防止することができる。
【００４７】
次に、例えば高感度であるＩＳＯ８００のフィルムが装填されて、ストロボ装置を使用しない場合と使用する場合を図９（ａ）、図９（ｂ）に示す。ストロボ装置を使用しない撮影状況下において、カメラに例えばＩＳＯ８００の高感度のフィルムが装填されると、ＤＸコード読み取り部１４において第１の接片１４１及び第２の接片１４２のいずれも導通状態となりＤＸコード読み取り部１４は導通状態になる。フィルム巻き上げが完了するとスイッチＳ２はチャージレバー１５が初期位置に移動してオン状態となり、レリーズ釦６が押し下げ操作されてスイッチＳ１がオンになると、ストロボスイッチ４はオフ状態であるであるためスイッチＳ３はオフであるがＤＸコード読み取り部１４が導通状態にあるので電磁石１３に通電が行われて消磁する。さらにレリーズの動作が進行しチャージレバー１５がシャッタチャージ完了位置から矢印方向に移動すると、絞り板１２は、一端の鉄片１２ｇと電磁石１３との間の吸引力が電磁石１３の消磁により消滅しているので引っ張りバネ１２ｅに引っ張られて支軸１２ｃを中心にしてストッパー１２ｆに当接するまで回動する。なおストッパー１２ｆはストロボスイッチ４がオフ状態にあるので１２ｆｃに位置しており、絞り板１２が回動、当接すると図９（ａ）に示すように、撮影レンズ１の後方には小絞り１２ｃが配置され、絞りは第３絞りになる。この動作はレリーズ釦６の操作に伴って、チャージレバー１５の移動前半のチャージレバー１５によるセクタ開放動作開始前に行われる。
【００４８】
また、夜間等の低輝度の撮影状況下においてストロボ装置を使用するべくストロボスイッチ４をオン位置に移動させると、スイッチＳ３はオンとなりストッパー１２ｆは１２ｆａの位置に移動する。フィルム巻き上げが完了するとスイッチＳ２はチャージレバー１５がシャッタチャージ完了位置に移動してオン状態となり、レリーズ釦６が押し下げ操作されてスイッチＳ１がオンになると、スイッチＳ３がオン、またスイッチＳ３と並列に接続されているＤＸコード読み取り部１４も導通状態であるので電磁石１３に通電が行われて消磁する。さらにレリーズの動作が進行しチャージレバー１５がシャッタチャージ位置から矢印方向への移動すると、絞り板１２は、一端の鉄片１２ｇと電磁石１３との間の吸引力が消滅するので、引っ張りバネ１２ｅに引っ張られて支軸１２ｃを中心にして１２ｆａに位置するストッパー１２ｆａに当接するまで回動し、その結果図９（ｂ）に示すように、撮影レンズ１の後方には大絞り１２ａが配置され、絞りは第１絞りになる。
【００４９】
なお、本発明において、スイッチＳ２は必ずしも設けられていなくてもよい。以上説明した各実施形態において、補助光発光装置であるストロボ装置は、大絞り１１ａ又は１２ａによる第１絞りのＦ値をＡとし、ＩＳＯ１００でのガイドナンバーをＧとしたとき、
Ａ≦Ｇ≦２１／２Ａ
を満たすストロボ装置であることが好ましい。この条件を満たすとき、低感度又は高感度のいずれのフィルムを使用する場合でも、低輝度の被写体を失敗無く撮影することができる。
【００５０】
ガイドナンバーＧが上記の下限を下回ると、低感度のフィルムを使用した場合にストロボ装置を使用しての撮影可能距離範囲が近距離となりすぎ、また、上限を越えると、高感度フィルムを使用した場合に、近距離のストロボ光が強くなりすぎるため、いずれも好ましくない。
【００５１】
なお、ストロボ装置は、その発光作動時に被写体からのストロボ光の反射光量を測定、積分し、その積分値が設定値に到達すると発光を停止して適正露光を得るように構成される調光機能を有するものがより好ましく、この場合、上記条件におけるガイドナンバーＧは、フル発光時、すなわち発光を停止せずに全光量で発光させたときのガイドナンバーである。
【００５２】
この調光機能を有するストロボ装置の場合、フィルム感度が低感度のものであるときには調光機能が不作動とされ、フィルム感度が高感度のものであるときには調光機能が作動されるようにすることで、高感度のフィルムを使用した場合にストロボ光が強くなりすぎて露光過度となる問題をより一層低減できるようになるために好ましい。
【００５３】
この調光機能を有するストロボ装置の回路の一例を図１０に示す。このストロボ装置は、バッテリＢａからの電源電圧を、ストロボ発光管５１の発光に必要な所定の電圧に昇圧する昇圧回路４１と、昇圧回路４１からの高電圧をメインコンデンサ５２に充電してストロボ発光管５１を発光させるストロボ発光回路４２と、反射光受光部を用いてストロボ発光管５１の発光量をストロボ撮影時に、被写体からの反射光を取り込んでストロボ発光管５１の発光量を自動的に制御するストロボ発光停止回路４３とを備えている。
【００５４】
ストロボ発光回路４２は、さらに前述のメインコンデンサ５２、ストロボ発光管５１及びレリーズ釦５の押下操作に同調して、ストロボ発光管５１の発光を励起するトリガー回路４４との組み合わせでなっている。昇圧回路４１とトリガー回路４４は、この種のカメラに用いられる公知のプリント配線とストロボ用電気部品との組み合わせでなっており、トランスが昇圧回路４１に組み込まれ、トリガコイルとトリガスイッチがトリガー回路４４に組み込まれている。
【００５５】
ストロボ発光停止回路４３には、ストロボ発光管５１の発光を制御するサイリスタ５３と、反射光受光部の受光素子５４が所定値以上の反射光を受光した場合に、出力信号を発する測光回路４５とが設けられている。この測光回路４５は、受光素子５４、受光素子５４と直列に接続した積分用コンデンサ５５と、受光素子５４に並列に接続した小容量用コンデンサ５６及びトランジスタ５７とから構成されており、受光素子５４に入射した被写体からの反射光を受光信号に変えて積分用コンデンサ５５で積分し、その値が所定値に達した場合、トランジスタ５７を動作して測光回路４５から出力信号を発するようにしている。
【００５６】
測光回路４５への電力供給は、ストロボ発光管５１、サイリスタ５３と並列に接続した抵抗５８、コンデンサ５９及びツェナーダイオード６０によって行なわれ、ストロボ発光管５１の発光によってツェナーダイオード６０に電圧が生じると、小容量用コンデンサ５６から積分用コンデンサ５５に若干の充電がされるようになっており、その後のストロボ発光管５１による積分の立ち上がりを改善するようになっている。
【００５７】
トランジスタ５７は、前述の如く積分値が所定値に達した場合に動作して、測光回路４５から出力信号を発する。測光回路４５の出力信号は、サイリスタ５３をターンオフするためのサイリスタ６１のゲートへ入ってこれを動作し、転流用コンデンサ６２を放電させてサイリスタ５３に逆電圧を与える。この結果、メインコンデンサ５２からストロボ発光管５１への電流の供給が遮断され、ストロボ発光管５１の発光が停止する。
【００５８】
また、以上の各実施形態において、中絞り１１ｂまたは１２ｂによる第２絞りのＦ値をＢ、小絞り１１ｃまたは１２ｃによる第３絞りのＦ値をＣとしたとき、
１．５≦ｌｏｇ２Ｃ２−ｌｏｇ２Ｂ２≦３
を満足することが好ましい。この条件式を満足するとき、低感度又は高感度のフィルムの両方で失敗無く良好な写真を得ることができる。
【００５９】
上記条件式において、下限を下回ると、低感度フィルムを使用する際に露光不足が、高感度フィルムを使用する際に露光過度が生じ易くなり、上限を超えると、低感度フィルムあるいは高感度フィルムのいずれを使用しても良好な写真を得ることができない輝度領域が生じるため好ましくない。
【００６０】
より好ましくは、
１．８≦ｌｏｇ２Ｃ２−ｌｏｇ２Ｂ２≦３
を満たすことである。
【００６１】
また、大絞り１１ａまたは１２ａによる第１絞りのＦ値をＡとしたとき、
ｌｏｇ２Ｃ２−ｌｏｇ２Ａ２≦４
を満足することが好ましい。
【００６２】
上限を超えると高感度フィルム使用時に、補助光発光装置を使用する露光条件でのフィルムのラチチュードでカバーできる撮影輝度範囲と、使用しない露光条件でのラチチュードでカバーできる撮影輝度範囲との重なり部が小さくなり、被写体の輝度によっては補助光発光装置を使用する、あるいは使用しない、のいずれの条件においても良好な写真を得ることができなくなり、場合によっては撮影できない輝度範囲が発生してしまうことになるので好ましくない。
【００６３】
更に、第２絞りのＦ値をＢ、第２絞りで撮影する際のシャッタ速度をＳ秒としたとき、
１０≦ｌｏｇ２Ｂ２＋ｌｏｇ２Ｓ−１≦１３
を満足することも好ましい態様である。この条件式を満足するとき、低感度又は高感度のフィルムのいずれにおいても、失敗無く露光の良好な写真を得ることができる。
【００６４】
より好ましくは
１１≦ｌｏｇ２Ｂ２＋ｌｏｇ２Ｓ−１≦１３
を満たすことである。
【００６５】
上記条件式において下限を下回ると、ＩＳＯ４００のフィルムを使用した場合における昼間の撮影で露光過度となる問題があり、また、上限を超えると、ＩＳＯ１００のフィルムを使用した場合に、撮影シーンで最も頻度の高い輝度域で撮影した写真が露光不足となってしまう問題があるため、いずれも好ましくない。
【００６６】
また、使用するフィルムが３５ｍｍフィルムであり、シャッタ速度が１／３０秒以下であり、撮影レンズの焦点距離ｆが２５〜３４ｍｍであり、第１絞りのＦ値Ａが４．５〜８であり、かつ、
０．００６７ｆ２≦Ａ
を満足するようにすることが好ましい。
【００６７】
上記の条件において、シャッタ速度Ｓが１／３０秒よりも遅くなると、手ぶれが発生し易くなる。なお、シャッタ速度Ｓは１／５０秒以下がより好ましい。第１絞りのＦ値が下限を下回ると、撮影レンズをプラスチックレンズ３枚以下で構成するのが困難となり、焦点距離ｆが上限を超えると撮影可能としたい距離範囲にある被写体を被写界深度内に入るように設計しても、調整なしで撮影レンズの組み込みを行った場合に、カメラの固体差によって、その距離にある被写体が被写界深度内に入らないものが発生し易くなるので、製造時に撮影レンズのピント位置調整が必要となり、コストアップ要因となって好ましくない。上記の条件を満足することで、これら問題の発生のないカメラを提供することが可能になる。
【００６８】
以上説明した各実施形態は、撮影レンズの絞りの条件に着目して、露光条件を切り替えるようにしているが、露光条件はシャッタ速度を切り替えることでも切り替えることができる。また、撮影レンズの絞りの切り替えに加えてシャッタ速度の切り替えも行い、カメラに装填されるフィルムの感度に応じて、これら撮影レンズの絞りとシャッタ速度により決定される露光条件を切り替えるようにすることもできる。
【００６９】
この撮影レンズの絞りとシャッタ速度の組み合わせにより決定される露光条件は、ＥＶ（Ｅｘｐｏｓｕｒｅ  Ｖａｌｕｅ）値により規定することができる。
【００７０】
ＥＶ値Ｅは撮影レンズの絞りのＦ値をＦ、シャッタ速度をＴ秒としたとき、以下により算出される。
【００７１】
Ｅ＝ｌｏｇ２Ｆ２＋ｌｏｇ２Ｔ−１
例えば図１に示すカメラにおいて、撮影レンズ１の絞りとシャッタ速度の組み合わせにより決定される露光条件を、ストロボ装置を使用するにあたりストロボスイッチがオンに設定された場合を第１露光条件、またストロボ装置を使用しない場合でフィルム感度設定スイッチ５によりフィルム感度が低感度に設定された場合には第２露光条件、該フィルム感度設定スイッチ５によりフィルム感度が高感度に設定された場合には、該第２露光条件よりもＥＶ値が大となる第３露光条件とし、それぞれ切り替え可能とする。
【００７２】
具体例を挙げると、第２露光条件としてＦ値を５．６、シャッタ速度を１／１２５秒とした場合、ＥＶ値は１２である。ここでＦ値が同じ５．６で、シャッタ速度を１／５００秒とするとＥＶ値は１４となり、例えばこの絞り及びシャッタ速度により決定される露光条件を第３露光条件とする。またＦ値を１１とし、シャッタ速度を１／１２５秒としても、ＥＶ値は１４となるので、この絞り及びシャッタ速度により決定される露光条件を第３露光条件としても良いし、また絞り及びシャッタ速度を共に変更し、例えばＦ値を８、シャッタ速度を１／２５０秒としてもＥＶ値は１４となるので、この露光条件を第３露光条件とすることもできる。
【００７３】
なお第１露光条件はストロボ撮影を前提とするものであり、ストロボ撮影においては撮影対象とする被写体の露光量には絞り値のみが寄与するので絞り値がストロボ用の適切な値に切り替われば主たる目的は達せられる。しかしシャッタ速度の選定も主要被写体の背景の写り込み状態に影響し、ストロボ装置の光の効果が及ばない距離にある背景等を少しでも明るく写すには手ぶれを起こさない範囲でより遅いシャッター速度が選定できることが望ましい。
【００７４】
露光条件として撮影レンズの絞りを切り替える構成については既に説明したので、以下にシャッタ速度を切り替える構成について、図１１及び図１２を参照して説明する。図１１はシャッタチャージが完了した状態の正面図、図１２はセクタが開口部を開口させた正面図である。
【００７５】
図１１において、シャッタ動作を行うセクタ２１は支軸２２を中心に回動可能に設けられており、引っ張りバネ２３により上記支軸２２を中心にして時計方向に付勢されている。従って、静止時にはセクタ２１の末端部２１ａがストッパー２４に当接していると共に、セクタ２１はフィルムへ被写体光を通過させる開口部２６を閉鎖している。なお、セクタ２１は、例えば図２に示す絞り板１１の後方に配置される。
【００７６】
シャッタチャージのときは、フィルム巻上げに連動してチャージレバー２５が図示左方向から右方向に移動してセクタ２１の先端部２１ｂを乗り越え、図１１に示した状態の如く該先端部２１ｂの右側に位置する。このとき支軸２２と嵌合しているセクタ２１の孔２１ｃは長孔に形成されているので、チャージレバー２５により先端部２１ｂが押され、セクタ２１は僅かに下方に移動するが、開口部２６を開放させることは全くない。
【００７７】
図１１に示す如くシャッタチャージされた後、撮影者が図１に示したレリーズ釦６を押下操作すると、チャージレバー２５は図示していないチャージバネにより急速に左方に移動して、セクタ２１の先端部２１ｂの右側部を叩くので、図１２に示す如く、セクタ２１は支軸２２を中心にして反時計方向に回動して開口部２６を開放させる。
【００７８】
このときセクタ２１は、引っ張りバネ２３の付勢力に抗して慣性力により所定の角度の回動をするが、セクタ２１の回動角度はストッパー２７によって規制されるようになっており、このストッパー２７に当接するまで回動して停止し、次に引っ張りバネ２３の付勢力により時計方向に回動して開口部２６を閉鎖する。従って、このストッパー２７の位置を変更することによって、セクタ２１による開口部２６を開放する時間（シャッタ速度）を変更することができる。即ち、このストッパー２７が図１２に二点鎖線で示す位置２７ｂにあるとき、セクタ２１の回動角度は大きくなるため、シャッタ速度は低速（例えば１／６０秒）となり、図１２に実線で示す位置２７ｃにあるとき、セクタ２１の回動角度は小さくなるため、シャッタ速度は高速（例えば１／１２５秒）となる。
【００７９】
このシャッタ速度を規制するストッパー２７は、前述した図２に示す各実施形態におけるカメラの絞り板１１に立設することで、絞りが大絞り１１ａ又は中絞り１１ｂのときと、小絞り１１ｃのときとに応じて、シャッタ速度の切り替えが可能となる。このとき、中絞り１１ｂ（例えばＦ値で５．６）と、図１２に示す位置２７ｂにあるストッパー２７による中速のシャッタ速度（例えば１／６０秒）により決定される露光条件のＥＶ値は１１となるのに対して、小絞り１１ｃ（例えばＦ値で１１）と、図１２に示す位置２７ｃにあるストッパー２７による高速のシャッタ速度（例えば１／１２５秒）により決定される露光条件のＥＶ値は１４となり、前者の絞りとシャッタ速度とにより決定される露光条件が本発明における第２露光条件であるＥ２に、後者の絞りとシャッタ速度とにより決定される露光条件が本発明における第３露光条件であるＥ３にそれぞれ相当する。
【００８０】
このような高速のシャッタ速度を使用すると、移動する被写体をぶれることなく撮影することが可能になり、また手ぶれの発生をより少なくできるので高感度のフィルムの特性を生かすことができる。
【００８１】
また大絞り１１ａ（例えばＦ値で４．５）のときは、図１２に示す位置２７ａにストッパー２７が移動するので、シャッタ速度はより低速（例えば１／５０秒）になり、この条件での露光条件が本発明における第１露光条件であるＥ１に相当する。シャッター速度がさらに低速になるため、ストロボ装置の光の効果が及ばない距離にある背景等を少しでも明るく写すのに有効である。
【００８２】
これにより、前述したようにフィルム感度の設定及びストロボ装置のオン・オフに応じて絞りが切り替わると、同時にシャッタ速度も切り換わるため、フィルム感度及び被写体の輝度に応じたより好適な露光条件を設定することができるようになり、ストロボ撮影に際してはそれに適した絞り値と、ストロボ光の効果が及ばない距離にある背景等を少しでも明るく写すことを可能とするシャッタ速度が設定できる。
【００８３】
この場合も、夜間等の低輝度時の撮影を行う際の補助光を発光するためのストロボ装置は、第１露光条件で使用する絞りにより設定されるＦ値をＡ、ＩＳＯ１００でのガイドナンバーをＧとしたとき、
Ａ≦Ｇ≦２１／２Ａ
を満たすストロボ装置であることが好ましく、この条件を満たすとき、低感度又は高感度のいずれのフィルムを使用する場合でも、低輝度の被写体を失敗無く撮影することができる。
【００８４】
ガイドナンバーＧが上記の下限を下回ると、低感度のフィルムを使用した場合にストロボ装置を使用しての撮影可能距離範囲が近距離となりすぎ、また、上限を越えると、高感度フィルムを使用した場合に、近距離のストロボ光が強くなりすぎるため、いずれも好ましくない。
【００８５】
ここにおいても、ストロボ装置は被写体からのストロボ光の反射光の量に応じた発光量制御が行われる前述した調光機能を有するものがより好ましく、この場合、上記条件におけるガイドナンバーＧは、フル発光時のガイドナンバーとなる。この調光機能を有するストロボ装置の場合、フィルム感度が低感度のものであるときには調光機能が不作動とされ、フィルム感度が高感度のものであるときには調光機能が作動されるようにすることで、高感度のフィルムを使用した場合にストロボ光が強くなりすぎて露光過度となる問題をより一層低減できるようになるために好ましい。
【００８６】
また、第２露光条件のＥＶ値をＥ２、第３露光条件のＥＶ値をＥ３としたとき、
１．５≦Ｅ３−Ｅ２≦３
を満足することが好ましい。この条件式を満足するとき、低感度又は高感度のフィルムのいずれでも失敗無く良好な写真を得ることができる。
【００８７】
上記条件式において下限を下回ると、低感度フィルムを使用する際に露光不足が、高感度フィルムを使用する際に露光過度が生じ易くなり、上限を超えると、低感度フィルムあるいは高感度フィルムのいずれを使用しても良好な写真を得ることができない輝度領域が生じるため好ましくない。
【００８８】
より好ましくは、
１．８≦Ｅ３−Ｅ２≦３
を満たすことである。
【００８９】
また第１露光条件のＥＶ値をＥ１としたとき、
Ｅ３−Ｅ１≦３
を満足することが好ましい。
【００９０】
上限を超えると高感度フィルム使用時に、補助光発光装置を使用する露光条件でのフィルムのラチチュードでカバーできる撮影輝度範囲と、使用しない露光条件でのラチチュードでカバーできる撮影輝度範囲との重なり部が小さくなり、被写体の輝度によっては補助光発光装置を使用する、あるいは使用しない、のいずれの条件においても良好な写真を得ることができなくなり、場合によっては撮影できない輝度範囲が発生してしまうことになるので好ましくない。
【００９１】
なお、上記第２露光条件のＥＶ値であるＥ２は、
１０≦Ｅ２≦１３
であることが好ましい。この条件式を満足するとき、低感度又は高感度のフィルムのいずれにおいても、失敗無く露光の良好な写真を得ることができる。
【００９２】
なお、より好ましくは
１１≦Ｅ２≦１３
を満たすことである。
【００９３】
上記条件式において下限を下回ると、ＩＳＯ４００のフィルムを使用した場合における昼間の撮影で露光過度となる問題があり、また、上限を超えると、ＩＳＯ１００のフィルムを使用した場合に、撮影シーンで最も頻度の高い輝度域で撮影した写真がアンダーとなってしまう問題があるため、いずれも好ましくない。
【００９４】
更に、使用するフィルムが３５ｍｍフィルムであり、シャッタ速度が１／３０秒以下であり、撮影レンズの焦点距離ｆが２５〜３４ｍｍであり、第１露光条件で使用する絞りにより設定されるＦ値Ａが４．５〜８であり、かつ、
０．００６７ｆ２≦Ａ
を満足するようにすることが好ましい。
【００９５】
上記の条件において、シャッタ速度Ｓが１／３０秒よりも遅くなると、手ぶれが発生し易くなる。なお、シャッタ速度Ｓは１／５０秒以下がより好ましい。焦点距離ｆが下限を下回ると、絞りの条件を満足する撮影レンズをプラスチックレンズ３枚以下で構成するのが困難となってコストアップを招き、安価なカメラのメリットが生かせなくなる。Ｆ値が下限を下回ると、撮影レンズをプラスチックレンズ３枚以下で構成するのが困難となり、上限を超えると、高感度のフィルムを使用することにより得られる輝度の低い被写体が撮影可能になるという効果が小さくなる。また、焦点距離ｆが上限を超えると撮影可能としたい距離範囲にある被写体を被写界深度内に入るように設計しても、調整なしで撮影レンズの組み込みを行った場合に、カメラの固体差によって、その距離にある被写体が被写界深度内に入らないものが発生し易くなるので、製造時に撮影レンズのピント位置調整が必要となり、コストアップ要因となって好ましくない。上記の条件を満足することで、これら問題の発生のないカメラを提供することが可能になる。
【００９６】
なお、以上の説明において、絞り板の形態は、撮影レンズの光路内に大絞りを固定状に配置し、この大絞りと撮影レンズとの間に中絞りと小絞りを配置した絞り板を移動可能に配置し、この絞り板を移動させることで、大絞り、中絞り、小絞りとを切り替え可能としてもよいし、また、切り欠きを有する複数枚の絞り羽根の重なり量を調整することで、該切り欠き部分により形成される開口径を大、中、小の３種類に切り替え可能とすることで、大絞り、中絞り、小絞りとを切り替えるようにしてもよい。
【００９７】
【発明の効果】
以上、本発明によれば、補助光発光装置および使用対象とするフィルムの感度設定を低感度と高感度の２種類に限定した露光条件設定の機構を備えたカメラにおいて、２種類の感度および補助光発光装置使用時に対応する撮影レンズの絞り値を最適に設定にできるので、補助光発光装置を使用する場合でも、使用しない場合でも高感度あるいは低感度のフィルムのそれぞれの特性を生かした撮影を可能とするカメラを提供することができる。
【図面の簡単な説明】
【図１】本発明に係るカメラの一例を示す外観斜視図である。
【図２】撮影レンズの絞りを切り替える切り替え機構の一例を示す斜視図である。
【図３】（ａ）はフィルム感度が低感度で、ストロボ装置がオフでの絞り板の状態、（ｂ）はフィルム感度が低感度で、ストロボ装置がオンでの絞り板の状態をそれぞれ示す説明図である。
【図４】（ａ）はフィルム感度が高感度で、ストロボ装置がオフでの絞り板の状態、（ｂ）はフィルム感度が高感度で、ストロボ装置がオンでの絞り板の状態をそれぞれ示す説明図である。
【図５】パトローネ表面に形成されているＤＸコードを説明する図である。
【図６】ＩＳＯフィルム感度とＤＸコードの電気接点の範囲との関係を示す図である。
【図７】フィルム感度の設定及び絞りの設定を自動的に行う態様の概略構成図である。
【図８】（ａ）はフィルム感度が低感度で、ストロボ装置がオフでの絞り板の状態、（ｂ）はフィルム感度が低感度で、ストロボ装置がオンでの絞り板の状態をそれぞれ示す説明図である。
【図９】（ａ）はフィルム感度が高感度で、ストロボ装置がオフでの絞り板の状態、（ｂ）はフィルム感度が高感度で、ストロボ装置がオンでの絞り板の状態をそれぞれ示す説明図である。
【図１０】調光機能を有するストロボ装置の回路の一例を示す回路図である。
【図１１】シャッタチャージが完了した状態のセクタの正面図である。
【図１２】開口部を開口させた状態のセクタの正面図である。
【符号の説明】
１  撮影レンズ
２  ファインダ窓
３  ストロボ装置の発光部
４  ストロボスイッチ
５  フィルム感度設定スイッチ
６  レリーズ釦
７  指数器窓
８  充電表示窓
９  巻戻しハンドル
１０  巻上げノブ
１１、１２  絞り板
１１ａ、１２ａ  大絞り
１１ｂ、１２ｂ  中絞り
１１ｃ、１２ｃ  小絞り
１３  電磁石
１４  ＤＸコード読み取り部
１５、２５  チャージレバー
２１  セクタ
【図１】
2004240025.tif 000003
【図２】
2004240025.tif 000004
【図３】
2004240025.tif 000005
【図４】
2004240025.tif 000006
【図５】
2004240025.tif 000007
【図６】
2004240025.tif 000008
【図７】
2004240025.tif 000009
【図８】
2004240025.tif 000010
【図９】
2004240025.tif 000011
【図１０】
2004240025.tif 000012
【図１１】
2004240025.tif 000013
【図１２】
2004240025.tif 000014